(57)【要約】【課題】コンクリート構造物に貫通孔を形成する際に用いる紙製ボイド管に代えて使用される再使用可能なスリーブ管を簡単な作業で強固に固定し、また固化したコンクリートから容易に除去する。【解決手段】軸方向にスリット１１を有する塩化ビニル樹脂製スリーブ管１０と、スリット１１に挿入され弾性を有するスペーサ２０と、スペーサ２０付きスリーブ管１０の表面を覆うフレキシブルシート３０と、スリーブ管固定部材４０とからなり、表面をフレキシブルシート３０で覆ったスペーサ２０付きスリーブ管１０を既設のコンクリートスラブ１に形成された開口２と一致するように載置し、上部取付具４１と下部取付具４２と締め付けネジ４３からなるスリーブ管固定部材４０を用いて固定する。コンクリートが固化した後、スペーサ２０を手によって取り除いた後、スリーブ管を取り除き、その後フレキシブルシート３０を除去する。【選択図】図２
2005220522.tif 000002
【特許請求の範囲】
【請求項１】
軸方向にスリットを有するスリーブ管と、前記スリットに挿入されるスペーサ部材と、前記スリットに前記スペーサ部材が挿入されたスリーブ管の表面を覆うフレキシブルシートと、前記スリーブ管を被取付体に取り付けるスリーブ管取付部材とからなることを特徴とする貫通孔形成用スリーブ管装置。
【請求項２】
請求項１記載の貫通孔形成用スリーブ管装置において、前記スリーブ管は上蓋で覆われたことを特徴とする貫通孔形成用スリーブ管装置。
【請求項３】
請求項１または２記載の貫通孔形成用スリーブ管装置において、前記スリーブ管取付部材は、前記スリーブ管の上端に係止する上部取付具と両下端に形成された屈曲部に向かって拡開する弾性脚からなる下部取付具とがネジ結合されたことを特徴とする貫通孔形成用スリーブ管装置。
【請求項４】
請求項１または２記載の貫通孔形成用スリーブ管装置において、前記スリーブ管取付部材は、前記スリーブ管の上端に係止する上部取付具と前記被取付体に取り付けられる下部基台とがネジ結合されたことを特徴とする貫通孔形成用スリーブ管装置。
【請求項５】
請求項１または２記載の貫通孔形成用スリーブ管装置を用いた貫通孔形成用スリーブ管取付方法において、前記軸方向にスリットを有するスリーブ管の前記スリットに前記スペーサ部材を挿入し、表面をフレキシブルシートで覆った前記スリーブ管を前記被取付体上に載置し、スリーブ管を前記スリーブ管取付部材によって前記被取付体に取り付けることを特徴とする貫通孔形成用スリーブ管取付方法。
【請求項６】
請求項３記載の貫通孔形成用スリーブ管装置を用いた貫通孔形成用スリーブ管取付方法において、前記軸方向にスリットを有するスリーブ管の前記スリットに前記スペーサ部材を挿入し、表面を前記フレキシブルシートで覆った前記スリーブ管を前記被取付体に形成された開口と一致するように載置し、前記スリーブ管取付部材の下部取付具の拡開する前記弾性脚を狭めながら前記スリーブ管の上端から挿入し、前記被取付体に形成された前記開口を貫通させて前記開口の周縁面部に係止させ、その後ネジによって前記上部取付片と前記下部取付片とを締め付け、前記スリーブ管を前記被取付体に固定することを特徴とする貫通孔形成用スリーブ管取付方法。
【請求項７】
請求項１または２記載の貫通孔形成用スリーブ管装置を固化したコンクリートから除去する貫通孔形成用スリーブ管除去方法において、前記スリーブ管から前記スペーサ部材を取り外し、前記スリーブ管取付部材を取り外し、その後前記スリーブ管を前記固化したコンクリートから除去することを特徴とする貫通孔形成用スリーブ管除去方法。
【発明の詳細な説明】
【技術分野】
【０００１】
本発明は、貫通孔形成用スリーブ管装置、貫通孔形成用スリーブ管取付方法及び除去方法に関し、さらに詳しくは、コンクリート構造物に貫通孔を形成する際に使用するスリーブ管を、型枠や既設のコンクリートスラブに対し簡単な操作で固定し、また除去することができ、しかも除去した後繰り返し使用することができる貫通孔形成用スリーブ管装置、貫通孔形成用スリーブ管取付方法及び除去方法に関する。
【背景技術】
【０００２】
近年、廃棄物の削減に向けた活動が、企業の重要な債務となっている。国内で発生する産業廃棄物の１９％は建設産業によるものといわれており、建設産業においても廃棄物の削減に対する研究開発が盛んに行われているところである。
建築設備工事分野においては、床、壁等をコンクリ−トで建築する場合、床、壁等のコンクリ−トに配管用の貫通孔等を設けることが建築現場で広く行われている。ここで、貫通孔はボイド管と称する紙製の円筒体を利用して成形されている。
【０００３】
垂直な壁面をコンクリートで建築する場合を例にして、紙製のボイド管を利用した貫通孔の施工要領を説明すると、先ず、コンクリ−トが成形される空間を対向する型枠で囲み、この型枠間であって貫通孔を形成する位置には、ボイド管を釘、ガムテープ等の仮止部材によって支持する。ここで、釘、ガムテープ等の仮止部材に代え、ボイド管の両端をボイドキャッチで型枠に支持することも行われている。
【０００４】
次いで、型枠間にコンクリートを流し込み、コンクリートが固化した後、型枠を外すと、ボイド管の端面が露出する。このとき、ボイド管はコンクリート壁を貫通するとともに、その外表面はコンクリ−トに付着しているので、バールの先端等を露出しているボイド管の端面から、コンクリ−トとボイド管との境界に差し込み、ボイド管をその開口端で部分的に変形させてコンクリ−トとの間に隙間を作り、コンクリ−トからボイド管を剥離することによって、貫通孔が形成される。以上のようにして取り除かれたボイド管は、水分を吸収し、変形又は破砕されているため、再使用できず破棄される。
【０００５】
また、固化後のコンクリ−トから容易に剥離することができ、しかも再使用することができるボイド管も知られており、その一例として特許文献１には、型枠に釘等の仮止部材によって固着されるボイドキャップと、ボイドキャップを嵌め込んで固定する変形自在なフレキシブル筒と、このフレキシブル筒に内挿される硬質の中空パイプ芯材とからなり、フレキシブル筒の外表面にはコンクリートとの離型性を有する離型層を形成し、内表面には中空パイプ芯材の外表面と離型性を有する離型面を形成したボイド管が開示されている。
【０００６】
また、コンクリート型枠への設置作業と、コンクリート建築等構造物から取り除く作業が容易に行え、しかも、スリーブ構成部材は反復して使用することができるコンクリート型枠用スリーブ形成部材として、特許文献２には、合成樹脂材にて形成される半裁硬質スリーブ管と、２個の半裁硬質スリーブ管を円筒状に対応させた状態で被嵌する柔軟な合成樹脂製の円筒形の接続カバーと、接続カバーが被嵌された２個の半裁硬質スリーブ管が円筒状となるように嵌入支持するキャップから構成されるコンクリート型枠用スリーブ形成部材が開示されている。
【特許文献１】特開２００１−４０８７３号公報
【特許文献２】特開平１１−２９３９１５号公報
【発明の開示】
【発明が解決しようとする課題】
【０００７】
前記したように、建築設備工事において、コンクリ−ト床、壁等に配管用等の貫通孔を形成する際、紙製の円筒体からなるボイド管を使用した場合には、固化したコンクリ−トから剥離して取り除くのが容易でなく、ボイド管は変形又は破砕され、また水分を含んでいるので再使用することができず、結果として廃棄物の量を増やし、建設コスト上昇の原因ともなっている。
【０００８】
また、特許文献１に開示されたようなボイド管を使用して、コンクリ−ト床、壁等に貫通孔を設けるようにすれば、コンクリ−トが固化した後にコンクリ−トから剥離して再使用することができるが、一方側の型枠に釘等の仮止部材によってボイドキャップを固着した後、このボイドキャップに変形自在なフレキシブル筒を嵌めて取り付け、フレキシブル筒に硬質の中空パイプ芯材を内挿し、その後他方側のボイドキャップをフレキシブル筒に取り付け、さらに他方側のボイドキャップを他方側の型枠に釘等の仮止部材によって固着するといった工程が必要となり、作業が非効率となりやすい。また、既設のコンクリートスラブに形成された開口と一致する貫通孔を形成するような場合、そのままでは使用することができない。
【０００９】
また、特許文献２に開示されたようなコンクリート型枠用スリーブ形成部材は、２個の半裁硬質スリーブ管が円筒状に組み合わされた構成であるので、コンクリ−トが固化した後にコンクリ−トから剥離して再使用することができるが、半裁硬質スリーブ管を２個組み合わせ、柔軟な合成樹脂製の円筒形の接続カバーで被嵌し、キャップに嵌入支持する作業は容易でなく、作業が非効率となりやすい。また、特許文献１に開示されたようなボイド管と同様に、既設のコンクリートスラブに形成された開口と一致する貫通孔を形成するような場合、そのままでは使用することができない。
【００１０】
本発明は、前記したような従来技術に鑑みてなされたもので、コンクリート構造物に貫通孔を形成する工事において、従来のボイド管に代えて使用されるスリーブ管内にコンクリートが流入することを防止するとともに、型枠や既設のコンクリートスラブの所望位置にスリーブ管を簡単な作業で強固に固定することができる貫通孔形成用スリーブ管装置、及び貫通孔形成用スリーブ管取付方法を提供することを目的とする。
【００１１】
また、コンクリートが固化した後、スリーブ管を固化したコンクリートから容易に剥離して除去することができ、使用後のスリーブ管、スリーブ管取付部材、上蓋を再利用することができる貫通孔形成用スリーブ管装置、及び貫通孔形成用スリーブ管除去方法を提供することを目的とする。
【課題を解決するための手段】
【００１２】
前記目的を達成するための第１の技術手段は、軸方向にスリットを有するスリーブ管と、前記スリットに挿入されるスペーサ部材と、前記スリットに前記スペーサ部材が挿入されたスリーブ管の表面を覆うフレキシブルシートと、前記スリーブ管を被取付体に取り付けるスリーブ管取付部材とからなる貫通孔形成用スリーブ管装置であることを特徴とする。
【００１３】
第２の技術手段は、第１の技術手段の貫通孔形成用スリーブ管装置において、前記スリーブ管は上蓋で覆われたことを特徴とする。
【００１４】
第３の技術手段は、第１または第２の技術手段の貫通孔形成用スリーブ管装置において、前記スリーブ管取付部材は、前記スリーブ管の上端に係止する上部取付具と両下端に形成された屈曲部に向かって拡開する弾性脚からなる下部取付具とがネジ結合されたことを特徴とする。
【００１５】
第４の技術手段は、第１または第２の技術手段の貫通孔形成用スリーブ管装置において、前記スリーブ管取付部材は、前記スリーブ管の上端に係止する上部取付具と前記被取付体に取り付けられる下部基台とがネジ結合されたことを特徴とする。
【００１６】
第５の技術手段は、第１または第２の技術手段の貫通孔形成用スリーブ管装置を用いた貫通孔形成用スリーブ管取付方法において、前記軸方向にスリットを有するスリーブ管の前記スリットに前記スペーサ部材を挿入し、外表面をフレキシブルシートで覆った前記スリーブ管を前記被取付体上に載置し、前記スリーブ管を前記スリーブ管取付部材によって前記被取付体に取り付けることを特徴とする。
【００１７】
第６の技術手段は、第３の技術手段の貫通孔形成用スリーブ管装置を用いた貫通孔形成用スリーブ管取付方法において、前記軸方向にスリットを有するスリーブ管の前記スリットに前記スペーサ部材を挿入し、表面を前記フレキシブルシートで覆った前記スリーブ管を前記被取付体に形成された開口と一致するように載置し、前記スリーブ管取付部材の下部取付具の拡開する前記弾性脚を狭めながら前記スリーブ管の上端から挿入し、前記被取付体に形成された前記開口を貫通させて前記開口の周縁面部に係止させ、その後ネジによって前記上部取付片と前記下部取付片とを締め付け、前記スリーブ管を前記被取付体に固定することを特徴とする。
【００１８】
第７の技術手段は、第１または第２の技術手段の貫通孔形成用スリーブ管装置を固化したコンクリートから除去する貫通孔形成用スリーブ管除去方法において、前記スリーブ管から前記スペーサ部材を取り外し、前記スリーブ管取付部材を取り外し、その後前記スリーブ管を前記固化したコンクリートから除去することを特徴とする。
【発明の効果】
【００１９】
本発明によれば、コンクリート構造物に貫通孔を形成する工事において使用するスリーブ管には軸方向にスリットが形成され、このスリットに適度の弾性を有するスペーサ部材が挿入されているので、コンクリートが固化した後スリーブ管を取り外す際、スペーサ部材を手によりスリーブの内側に取り外せば、スリーブ管は固化したコンクリート面よりスリーブ管が内側に若干量収縮し、コンクリートとスリーブ管との間に微小な間隙が生じ、スリーブ管を容易に引き抜くことができる。
【００２０】
また、本発明によれば、スリーブ管は上下端面を含めて表面がフレキシブルシートで覆われているので、スリーブ管を固化したコンクリートから容易に引き抜くことができるとともに、スリーブ管の上下端面に位置するフレキシブルシートがパッキングとして機能し、型枠やコンクリートスラブ面に生じている凹凸を吸収し、流し込んだコンクリートがスリーブ管内に流入することを防止することができ、使用後のスリーブ管、スリーブ管取付部材、上蓋をそのまま再利用することができる。
【００２１】
また、本発明によれば、スリーブ管は簡単な構成のスリーブ管取付部材によって、簡単な作業でコンクリート型枠や既設のコンクリートスラブに強固に取り付けることができ、また簡単な作業で容易に除去することができるので、貫通孔形成用スリーブ管取付及び除去工事の能率を向上することができる。
【発明を実施するための最良の形態】
【００２２】
本発明は、コンクリート構造物に貫通孔を形成する工事において、使い捨ての紙製のボイド管に代えて繰り返し使用可能なスリーブ管を使用し、スリーブ管内にコンクリートが流入することを防止するとともに、型枠や既設のコンクリートスラブの所望の位置にスリーブ管を簡単な作業で強固に固定することができる貫通孔形成用スリーブ管装置、及び貫通孔形成用スリーブ管取付方法を提供し、また、コンクリートが固化した後、スリーブ管を固化したコンクリートから容易に剥離して取り除くことができ、使用後のスリーブ管、スリーブ管取付部材、上蓋を再利用することができる貫通孔形成用スリーブ管装置、及び貫通孔形成用スリーブ管除去方法を提供するもので、そのための構成は、軸方向にスリットを有するスリーブ管と、前記スリットに挿入されるスペーサ部材と、前記スリットに前記スペーサ部材が挿入されたスリーブ管の表面を覆うフレキシブルシートと、前記スリーブ管を被取付体に取り付けるスリーブ管取付部材、スリーブ管の上端開口を覆う上蓋とからなるものである。
【実施例１】
【００２３】
以下、本発明の貫通孔形成用スリーブ管装置について、図１〜図６に示す実施例１の貫通孔形成用スリーブ管装置に基づいて説明する。
図１は、実施例１の貫通孔形成用スリーブ管装置を既設のコンクリートスラブ上に固定した状態を一部分解して示す斜視図であり、図２は、実施例１の貫通孔形成用スリーブ管装置を用いてコンクリートを打設した状態を示す断面図、図３は、図２のＡ−Ａ矢視断面図である。なお、図１及び図３では、フレキシブルシートを除いて示している。
図１〜図３に示す実施例１の貫通孔形成用スリーブ管装置は、既設のコンクリートスラブ（床）１上にコンクリートを打設してコンクリートスラブ３を形成する際に、コンクリートスラブに貫通孔４を形成するために使用され、スリーブ管１０、スペーサ２０、フレキシブルシート３０、スリーブ管固定部材４０、上蓋５０を構成要素とする。
【００２４】
図４は、スリーブ管及びスペーサを示す斜視図である。
スリーブ管１０は、軸方向にスリット１１が形成された硬質塩化ビニル管からなり、コンクリートスラブに形成される貫通孔４の内径及び長さに応じた外径寸法及び軸方向長さを有し、市販されている長尺の塩化ビニルパイプを施工現場で加工して用意することも可能である。なお、スリーブ管１０は、十分な強度が確保され、軽量で加工性がよく、低コストな材料であれば、硬質塩化ビニル管に限らず、他の樹脂管、スチール管、アルミ管等適宜の材料とすることができる。
【００２５】
スペーサ２０は、スリーブ管１０の軸方向に形成されたスリット１１に挿入され、コンクリートの打設中、スリーブ管１０の外形寸法を一定に保持するためのもので、硬質ゴムのような弾性を有する適宜の材料からなり、スリット１１に挿入されるスペーサ本体部２１、挿入される深さを一定に保持するフランジ部２２、スペーサ２０をスリット１１に挿入する作業時及びスリット１１から離脱する時の摘まみとなる摘まみ部２３とが一体に形成されている。
【００２６】
フレキシブルシート３０は、打設したコンクリートとスリーブ管１０が固着して取り除くことが困難になることを防止するために使用されるもので、一般に建築現場等で使用される養生シートが使用されるが、これに限らずビニル等の樹脂、布帛、紙等を用いることができ、剥離剤等を塗布することもできる。フレキシブルシート３０は、スリット１１にスペーサ２０が挿入されたスリーブ管１０の少なくとも外表面を覆うように巻き付けられ、貫通孔形成用スリーブ管装置の取付時あるいはコンクリートの打設時に容易にスリーブ管１０から離脱しないように接着テープ、ガムテープ等によって固定しておく。
【００２７】
フレキシブルシート３０として、ビニル等の樹脂を用い、複数サイズ用意するスリーブ管のうちの最大外形寸法を有するスリーブ管１０に対応した内径とした長尺のフレキシブルチューブとすることが考えられる。この場合、フレキシブルチューブをスリーブ管１０の長さより長めに切断し、スペーサ２０と一体になったスリーブ管１０に被せ、スリーブ管１０の両端より突出した部分をスリーブ管１０の内部に折り込み、スリーブ管１０の外径とフレキシブルチューブの内径との差により生じた弛みを折り込んで接着テープ等により固定するようにすれば、作業性あるいは在庫するフレキシブルチューブの部品点数を削減することができる。なお、スリーブ管１０それ自体の外表面がコンクリートとの剥離性が十分大であれば、フレキシブルシート、フレキシブルチューブを使用せずにスリーブ管１０を型枠等に固定するようにすることも可能である。
【００２８】
スリーブ管固定部材４０は、スリーブ管１０を既設の被取付体上に固定するためのもので、スリーブ管１０を取り付ける対象が、ＰＣコンクリートスラブであるか、スラブ型枠であるか、壁型枠であるか等によって異なる構成となる。
図５は、実施例１の貫通孔形成用スリーブ管装置に使用されるスリーブ管固定部材を既設のコンクリートスラブ及びスリーブ管の想像線とともに示す図で、図５（Ａ）は側面図、図５（Ｂ）は上面図である。
図１〜図３に示す実施例１の貫通孔形成用スリーブ管装置においては、スリーブ管固定部材４０は上部取付具４１、下部取付具４２、締め付けネジ４３からなり、締め付けネジ４３によって上部取付具４１と下部取付具４２をネジ結合している。
【００２９】
上部取付具４１は、金属帯板を凹状に屈曲した形状で、端部係止片４１ａ，４１ａがスリーブ管１０の上端縁に係止し、両側に補強用のリブ４１ｃが形成された中間片４１ｂがスリーブ管１０の上部内に収納され、この中間部４１ｂに挿通孔４１ｄが設けられている。下部取付具４２は、同様に金属帯板を屈曲して形成され、脚片４２ｂ，４２ｂは拡開された形状で弾性を有するとともに、それぞれの端部は外方に折曲された下端係止片４２ａ，４２ａとされ、両脚片４２ｂ，４２ｂの接続部となる中間片４２ｃには固定ナット４２ｄが固定されている。そして、上部取付具４１の中間片４１ｂに設けられている挿通孔４１ｄから下部取付具４２の中間片４２ｃに固定された固定ナット４２ｄに蝶ネジからなる締め付けネジ４３がねじ込まれている。
【００３０】
図６は、上蓋を示す図で、図６（Ａ）は裏面図、図６（Ｂ）は図６（Ａ）のＡ−Ａ矢視断面図である。
上蓋５０は、スリーブ管１０の上部開口を塞ぎ、スリーブ管１０の内部にコンクリートが侵入しないようにするためのもので、スリーブ管１０の内径寸法よりも大径の蓋本体部５１と、蓋本体部５１の裏面側からスリーブ管１０の内径に嵌まり込むように、適宜数の係止突起５２が等間隔に形成されており、これらの係止突起５２がスリーブ管１０の内周面に食い込むことにより、上蓋５０とスリーブ管１０とが安定して係合する。図６に示す突起５２は、食い込み片が設けられた半円柱状のものとしたが、これに限らず単に角柱状、円柱状のものであってもよい。また、蓋本体部５１の裏面であって、直径上の両外端には、スリーブ管の上端面上に係合する上部取付具４１の端部係止片４１ａ，４１ａが入り込む凹所５３が形成されている。
【００３１】
次に、図１〜図３に示す貫通孔形成用スリーブ管装置を使用し、既設のコンクリートスラブ１上にコンクリートを打設して貫通孔４を有するコンクリートスラブ３を形成する方法について説明する。
まず、コンクリートスラブ３のスラブ厚及び形成する貫通孔４の内径に対応した長さ及び外径寸法を有し、軸方向にスリット１１を有する硬質塩化ビニル管からなるスリーブ管１０を用意し、長尺のスペーサをスリーブ管１０の長さに切断して得られたスペーサ２０としてスリット１１内に挿入する。このとき、スペーサ２０は硬質ゴム等適度の弾性を有するので、摘まみ部２３及びフランジ部２２を利用して、スリット１１内にしっかりと仮止め状態とすることができ、また取り外すことができる。
【００３２】
次に、ビニル等の樹脂材料からなる長尺のフレキシブルチューブをスリーブ管１０の長さより所定長長く切断し、切断したフレキシブルチューブをスペーサ２０が取り付けられたスリーブ管１０に被せ、スリーブ管１０からはみ出したフレキシブルチューブをスリーブ管１０の内部に折り返し、フレキシブルチューブの内径が大きいために弛んだ部分を折り返し、接着テープ等でフレキシブルチューブがずれないように固定する。
【００３３】
次に、フレキシブルチューブで覆われたスリーブ管１０を既設のコンクリートスラブ１に形成された開口２と一致するように所定位置に載置する。このとき、スリーブ管１０とコンクリートスラブ１の間にはフレキシブルチューブが介在するので、コンクリートスラブ１の細かな凹凸が吸収され、打設したコンクリートから生じたノロ等がスリーブ管１０内に侵入することが防止される。
【００３４】
次に、既設のコンクリートスラブ１上に載置されたスリーブ管１０をスリーブ管固定部材４０によってコンクリートスラブ１に固定するが、予め上部取付具４１と下部取付具４２とを十分な間隔をあけて締め付けネジ４３によって接続しておく。その後、下部取付具４２の拡開する弾性脚４２ｂ、４２ｂを狭めた状態でスリーブ管１０の上端の開口部から挿入し、既設のコンクリートスラブ１に形成された開口２を貫通させて、弾性脚４２ｂ、４２ｂの端部の外方に折曲された係止片４２ａ，４２ａを開口２の裏側の周縁面部に係止させ、その後締め付けネジ４３によって上部取付具４１と下部取付具４２とを締め付け、スリーブ管１０をコンクリートスラブ１に固定する。その後、スリーブ管１０の上端開口内に上蓋５０を圧入して覆う。
【００３５】
次に、既設のコンクリートスラブ１上に生コンクリートを打設するが、打設する生コンクリートのスラブ天端は上蓋５０の表面よりコンクリートのカブリ代だけ上方となるように、つまり、スラブ厚はスリーブ管１０の長さとカブリ代の和となるようにする。その後、打設したコンクリートの表面をコンクリートならし機で平滑化する。
【００３６】
打設した生コンクリートが固化した後、カブリ代のコンクリートをハンマ等で叩き、破壊して除去した後、上蓋５０を取り除き、スリーブ管固定部材４０の締め付けネジ４３を緩め、手あるいは工具を用いて下部取付具４２の弾性脚４２ｂ、４２ｂを狭めた状態として既設のコンクリートスラブ１の開口２との係合を外し、スリーブ管１０の上端の開口部から取り除く。
【００３７】
その後、スリーブ管１０の内面に手あるいは工具を挿入し、スペーサ２０の摘まみ部２３を掴んでスペーサ２０をスリット１１から取り外し、スリーブ管１０を単独で、またはフレキシブルシート３０とともに固化したコンクリートから取り除く。このとき、スペーサ２０をスリット１１から取り外すことによって、スリーブ管１０は若干内側に収縮し、固化したコンクリートとスリーブ管１０の外表面間には微小な隙間が生じるので、スリーブ管１０を容易に固化したコンクリートから引き抜くことができる。固化したコンクリート中に取り残されたフレキシブルシート３０は容易に取り除くことができる。
【００３８】
以上のような一連の方法により、既設のコンクリートスラブ１の上にコンクリートが流し込まれ、開口２と連続した貫通孔４を有するコンクリートスラブ３が完成するが、スリーブ管１０を既設のコンクリートスラブ１に取り付ける作業、及びコンクリートが固化した後、スリーブ管１０を既設のコンクリートスラブ１から取り除く作業は、スリーブ管固定部材４０の締め付けネジ４３を締め付けるか、緩めるだけでよいので、能率のよい作業が可能となる。また、作業後廃棄する資材はフレキシブルシート３０だけであって、スリーブ管１０、スペーサ２０、スリーブ管固定部材４０はそのまま繰り返し使用することができる。
【００３９】
なお、実施例１の貫通孔形成用スリーブ管装置では、スリーブ管１０を既設のコンクリートスラブに固定する手段として、上部取付具４１、下部取付具４２、締め付けネジ４３からなる図１，２，５に示すようなスリーブ管固定部材４０を用いる例としたが、本発明の貫通孔形成用スリーブ管装置は、このようなスリーブ管固定部材に限られるものではなく、スリーブ管の長さ、直径、既設のコンクリートスラブ厚さ、設置時あるいは除去時の作業性等を勘案し、それぞれ複数種類用意しておくことができる。
【００４０】
図７は、スリーブ管固定部材の異なる例を既設のコンクリートスラブの想像線とともに示す図で、図７（Ａ）は一部断面した側面図、図７（Ｂ）は上面図、図７（Ｃ）は図７（Ａ）のＡ−Ａ矢視図である。
図７に示すスリーブ管固定部材４０は、上部取付具６１、突っ張り棒６２、スラブ係止片６３ａ，６３ｂ、立ち上げ棒６４、中継ボルト６５、中継ナット６６、締め付けネジ６７等から構成されており、突っ張り棒６２、スラブ係止片６３ａ，６３ｂ、立ち上げ棒６４、中継ボルト６５、中継ナット６６が一体に組み立てられて下部取付具としての機能を有する。
【００４１】
この例の場合、上部取付具６１は樹脂で一体成形され、取付具本体部６１ａの裏面にスリーブ管１０の内周に嵌合する円筒部６１ｂが形成され、この円筒部６１ｂにスリーブ管１０のスリット１１に挿入されたスペーサ２０が入り込むための凹所６１ｃ及びスリーブ管１０の内面に食い込む食い込み片が形成されている。また、取付具本体部６１ａの中央部には、中心に挿通孔６１ｅを有する凹陥部６１ｄが形成されており、凹陥部６１ｄには後述する締め付けネジ６７の頭部が収納される。このような上部取付具６１は、スリーブ管１０を既設のコンクリートスラブ１に設けられた開口２に取り付ける図１，２，５に示す上部取付具４１の機能とともに、スリーブ管１０中にコンクリートが流れ込まないようにする上蓋５０の機能を有する。
【００４２】
突っ張り棒６２は、その長さが開口２より適当長短く、中央部は６角軸６２ｃに形成され、一端側に右ネジ６２ａが形成され、他端側に左ネジ６２ｂが形成されている。一端側の右ネジ６２ａ、他端側の左ネジ６２ｂには、それぞれに右ナットが形成されたスラブ係止片６３ａ、左ナットが形成されたスラブ係止片６３ｂがネジ止めされている。立ち上げ棒６４は、下端に６角穴６４ａを有し、上端側には軸方向に雌ネジ６４ｂが形成されており、６角穴６４ａに突っ張り棒６２の６角軸６２ｃが摺動自在に嵌合している。したがって、図７（Ａ）の状態で、立ち上げ棒６４を用いて突っ張り棒６２を右回転あるいは左回転させることによって、スラブ係止片６３ａ，６３ｂを開口２の内面に押しつけて固定したり、逆に開口２から取り外すことができる。なお、立ち上げ棒６４は、６角穴６４ａを有する下部と雌ネジ６４ｂが形成された上部とを図７（Ｃ）に示すように別部材とし、ネジ結合により一体化して構成することもできる。
【００４３】
立ち上げ棒６４の上端側の雌ネジ６４ｂには、中継ボルト６５がねじ止めされ、さらに中継ボルト６５には長ナットからなる中継ナット６６がねじ止めされ、中継ナット６６の上部は適当量だけ上部取付具６１に形成された挿通孔６１ｅより上方へ突出する長さに設定されている。挿通孔６１ｅより突出した中継ナット６６にはワッシャ６８を介して蝶ネジからなる締め付けネジ６７をネジ止めする。
【００４４】
図７に示す固定手段を用いて、スリーブ管１０を既設のコンクリートスラブ１に形成された開口２上に取り付ける方法の一例について説明する。
まず、突っ張り棒６２、スラブ係止片６３ａ，６３ｂ、立ち上げ棒６４を予め組み立てて下部取付具とした状態で、図７に示すような姿勢でスラブ係止片６３ａ，６３ｂ間を短縮した状態で開口２内に挿入する。次に立ち上げ棒６４を用いて突っ張り棒６２を回転させ、スラブ係止片６３ａ，６３ｂ間の間隔を広げて突っ張らせて、下部取付具を開口２内に固定する。固定した状態で、立ち上げ棒６４の雌ネジ６４ｂが上方に向くようにしておき、雌ネジ６４ｂに中継ボルト６５、中継ナット６６をねじ込んでおく。
【００４５】
次に、スリット１１にスペーサ２０が挿入され、全体がフレキシブルシート３０で覆われたスリーブ管１０を開口２と同軸となるように既設のコンクリートスラブ１上に載置する。スリーブ管１０の上端開口に上部取付具６１を圧入するが、このときスリーブ管１０の内壁面から突出したスペーサ２０が上部取付具６１の裏面に形成された凹所６１ｃに収容されるとともに、凹陥部６１ｄに形成された挿通孔６１ｅから中継ナット６６の先端が突出するように、各ネジ部の締め付け度合いを調整しておく。
【００４６】
次に、上部取付具６１の凹陥部６１ｄ内に突出している中継ナット６６にワッシャ６８を介在させて蝶ネジからなる締め付けネジ６７をねじ込んでゆくと、中継ナット６６が上方に引き上げられ、スリーブ管１０が既設のコンクリートスラブ１と上部取付具６１間に締め付けられ、スリーブ管１０が既設のコンクリートスラブ１上に取り付けられ、同時にスリーブ管１０の上部開口が塞がれる。
【００４７】
図７に示すようなスリーブ管固定部材４０を用いると、上部取付具６１は、スリーブ管１０を既設のコンクリートスラブ１に設けられた開口２に取り付ける上部取付具６１の機能とともに、スリーブ管１０中にコンクリートが流れ込まないようにする上蓋５０の機能を有するので、図１，２，５に示す上蓋５０が必要ないことになる。また、突っ張り棒６２、スラブ係止片６３ａ，６３ｂ、立ち上げ棒６４、中継ボルト６５、中継ナット６６が一体に組み立てられた下部取付具は、突っ張り棒６２が開口２内で突っ張ることによりしっかりと固定されるので、開口２から固定用の部材が落下するといったこともなく、安全で作業性の良いスリーブ管固定部材４０が得られる。
【実施例２】
【００４８】
図８は、実施例２の貫通孔形成用スリーブ管装置をスラブ型枠に取り付けた状態を示す図で、図８（Ａ）は側断面図、図８（Ｂ）は上面図、図８（Ｃ）は図８（Ａ）のＡ−Ａ矢視図である。なお、図８（Ｂ）では上蓋は除いて示している。
実施例２の貫通孔形成用スリーブ管装置は、開口形成用スリーブ管装置をスラブ型枠５に固定し、スラブ型枠５上にコンクリートを打設してコンクリートスラブを形成する際に使用するもので、打設されたコンクリートに貫通孔を形成するために使用され、スリーブ管１０、スペーサ２０、フレキシブルシート３０、スリーブ管固定部材４０、上蓋５０を構成要素とする。
【００４９】
実施例２の貫通孔形成用スリーブ管装置のスリーブ管１０、スペーサ２０、フレキシブルシート３０、上蓋５０は、それぞれ実施例１の貫通孔形成用スリーブ管装置のものと同様の構成であり、スリーブ管固定部材４０の構成において一部相違している。すなわち、実施例２の貫通孔形成用スリーブ管装置のスリーブ管固定部材４０は、被取り付け体がスラブ型枠５であることにより、上部取付具４１と下部基台４４と両者を結合する固定ボルト４５からなる。
【００５０】
下部基台４４は、金属製の基盤４４ａと長ナット４４ｄが熔接された構成で、基盤４４ａには挿通孔４４ｂが複数設けられ、木ネジ、釘等の固着具４４ｃ，４４ｃを用いてスラブ型枠５に固定される。
【００５１】
実施例２の貫通孔形成用スリーブ管装置をスラブ型枠５上に固定する方法は、次の通りである。
スラブ型枠５の貫通孔を形成する位置に予め、下部基台４４を取付けておく。すなわち、スラブ型枠がベニヤ板等からなる場合には、下部基台４４の基盤４４ａに形成された挿通孔４４ｂを利用して木ネジ、釘等の固着具４４ｃによって固定し、デッキプレートの場合にはタッピングネジを利用して固定しておく。
次に実施例１の貫通孔形成用スリーブ管装置と同様にして、スリーブ管１０のスリット１１にスペーサ２０を挿入したスリーブ管１０をフレキシブルシート３０またはフレキシブルチューブで覆った後、このスリーブ管１０をスラブ型枠５に取り付けられた下部基台４４の長ナット４４ｄの中心とスリーブ管１０の中心とが略一致するように載置し、スリーブ管１０の上端開口にスリーブ管固定部材４０の上部取付具４１を係止する。その後、上部取付具４１の中間片４１ｂに設けられた挿通孔４１ｃに固定ボルト４５を挿入し、スラブ型枠５に予め取付けておいた下部基台４４の長ナット４４ｄにネジ締めする。次に、スリーブ管１０の上端開口に上蓋５０を圧入して固定する。
【００５２】
以上の実施例１，２の貫通孔形成用スリーブ管装置においては、貫通孔形成用スリーブ管装置を既設のコンクリートスラブ、スラブ型枠に実施した例について説明したが、本発明の貫通孔形成用スリーブ管装置はこれらに限らず、壁型枠、地中梁における梁型枠等にも適用することができることは明らかである。また、スリーブ管固定部材については実施例１，２の貫通孔形成用スリーブ管装置で使用したもの以外に従来例で示したようなボイドキャッチを利用してスリーブ管を固定することもできる。
【図面の簡単な説明】
【００５３】
【図１】実施例１の貫通孔形成用スリーブ管装置を既設のコンクリートスラブ上に固定した状態を一部分解して示す斜視図である。
【図２】実施例１の貫通孔形成用スリーブ管装置を用いてコンクリートを打設した状態を示す断面図である。
【図３】図２のＡ−Ａ矢視断面図である。
【図４】スリーブ管及びスペーサを示す斜視図である。
【図５】スリーブ管固定部材を既設のコンクリートスラブの想像線とともに示す図で、図５（Ａ）は側面図、図５（Ｂ）は上面図である。
【図６】上蓋を示す図で、図６（Ａ）は裏面図、図６（Ｂ）は図６（Ａ）のＡ−Ａ矢視断面図である。
【図７】スリーブ管固定部材の異なる例を既設のコンクリートスラブの想像線とともに示す図で、図７（Ａ）は一部断面した側面図、図７（Ｂ）は上面図、図７（Ｃ）は図７（Ａ）のＡ−Ａ矢視図である。
【図８】実施例２の貫通孔形成用スリーブ管装置をスラブ型枠に取り付けた状態を示す図で、図８（Ａ）は側断面図、図８（Ｂ）は図８（Ａ）の上面図、図８（Ｃ）は図８（Ａ）のＡ−Ａ矢視図である。
【符号の説明】
【００５４】
１…既設のコンクリートスラブ、２…開口、３…コンクリートスラブ、４…貫通孔、５…スラブ型枠、６…壁型枠、１０…スリーブ管、１１…スリット、２０…スペーサ、２１…スペーサ本体部、２２…フランジ部、２３…摘まみ部、３０…フレキシブルシート、４０…スリーブ管固定部材、４１…上部取付具、４１ａ…端部係止片、４１ｂ…中間片、４１ｃ…リブ、４１ｄ…挿通孔、４２…下部取付具、４２ａ…下端係止片、４２ｂ…脚片、４２ｃ…中間片、４２ｄ…固定ナット、４３…締め付けネジ、４４下部基台、４４ａ…基盤、４４ｂ…挿通孔、４４ｃ…固着具、４４ｄ…長ナット、４５…固定ボルト、５０…上蓋、５１…蓋本体部、５２…係止突起、５３…凹所、６１…上部取付具、６２…突っ張り棒、６３ａ，６３ｂ…スラブ係止片、６４…立ち上げ棒、６５…中継ボルト、６６…中継ナット、６７…締め付けネジ、６８…ワッシャ。
【図１】
2005220522.tif 000003
【図２】
2005220522.tif 000004
【図３】
2005220522.tif 000005
【図４】
2005220522.tif 000006
【図５】
2005220522.tif 000007
【図６】
2005220522.tif 000008
【図７】
2005220522.tif 000009
【図８】
2005220522.tif 000010